(57)【要約】【課題】電子アルバム作成において、写真等にカール癖がある場合或いは斜め方向から写真等を読み取る場合でも、歪み又は台形変形のない画像を得る。【解決手段】写真台１１に載せた写真Ｐａ等を読取り部１３にて読み取ると同時に、近接センサ２４にて写真Ｐａ等の浮き量ｘを測定してその曲がり状態を検出し、読み取られた画像において生じる縮み変形を補正する。写真Ｐａ等を斜め方向から読み取る場合には、台形変形をも補正する。この補正された写真Ｐｂ等の素材画像は、保存されると共に液晶表示部１４へ表示されており、この液晶表示部１４を見ながら、操作部１２の操作で素材画像を任意の位置に配置してアルバム画像を作成する。【選択図】図１
2006215832.tif 000002
【特許請求の範囲】
【請求項１】
写真及び各種カードを含む読取り物を載せる写真台と、
この写真台に載せた読取り物を電子的に素材画像として読み取るための画像読取り部と、
上記画像読取り部で読み取られた画像に変形がある場合に、この画像変形を補正する変形補正回路と、
この変形補正回路にて得られた素材画像を表示すると共に、この素材画像の組合せからなるアルバム画像を表示する表示部と、
上記画像の読取り及び画像変形補正の制御を実行すると共に、上記表示部上の画像を見ながらアルバム画像の編集制御を実行する制御部と、を含んでなる電子アルバム作成装置。
【請求項２】
上記写真台に載せられた読取り物の曲がり状態を検出する変形検出手段を設け、上記変形補正回路は、上記読取り物の曲がりによる画像の変形を補正することを特徴とする請求項１記載の電子アルバム作成装置。
【請求項３】
上記変形検出手段として、写真台から読取り物の湾曲変形部までの距離を測定する測距センサを設け、この測距センサの出力から読取り物の曲がり状態を検出することを特徴とする請求項２記載の電子アルバム作成装置。
【請求項４】
上記変形検出手段として、上記画像読取り部で読み取られた画像のエッジを検出するエッジ検出回路と、このエッジ検出回路で検出されたエッジ情報から上記読取り物の曲がり状態を検出する画像変形検出回路と、を設けたことを特徴とする請求項２記載の電子アルバム作成装置。
【請求項５】
上記読取り部が上記写真台に載せられた読取り物を斜め方向から読み取る場合、上記変形補正回路は、斜め方向の読取りによって生じる台形変形を補正するようにしたことを特徴とする請求項１乃至４記載の電子アルバム作成装置。
【請求項６】
上記変形検出手段によって、曲がりによる変形が所定値よりも大きいことが検出されたときは、そのことの告知を行うことを特徴とする上記請求項１乃至４記載の電子アルバム作成装置。
【発明の詳細な説明】
【技術分野】
【０００１】
本発明は電子アルバム作成装置、特に写真や手書きカード等の読取り物の画像情報を変形なく読み取り、これらの写真やカードの画像情報に基づいて電子アルバムを自由に編集・作成する新しい装置の構成に関する。
【背景技術】
【０００２】
従来から、各種の場面で撮影した写真を紙の台紙に貼り付けたアルバムが存在するが、近年では、パソコン（パーソナルコンピュータ）やデジタルカメラ、スキャナ等のＩＴ装置の普及に伴い、パソコンにデジタル写真を電子的に格納し、専用のソフト等で電子アルバムを作成することが行われている。このような電子アルバムによれば、後に、旅行や行事等の思い出が表現された画像を画質劣化のない状態で観賞して楽しむことができる。
【特許文献１】特許第３１２２９００号公報
【特許文献２】特開２００４-２０１０５１号公報
【発明の開示】
【発明が解決しようとする課題】
【０００３】
しかしながら、パソコン、スキャナ等のＩＴ装置で電子アルバムを作成する場合は、このパソコン等のＩＴ装置や専用のアルバム作成ソフトの知識の習得が必要となり、これらの知識の習得に時間がかかり面倒である場合が多く、またパソコンの取扱いが苦手である場合は、電子的なアルバムの作成に興味を持つことができない。
【０００４】
そこで、本願では、写真やカード等の画像を読取り部（装置）で読み取り、これらの読取り画像から簡単に電子アルバムを作成する新しい装置を提案するものであるが、電子アルバム作成の基になる写真は自動現像（焼付け）機でローラ搬送されるため、カール癖（撓み）が付くことになる。そのため、読取り台に置いた写真等を読み取る場合には、カール癖によって読取り画像が歪み、例えば写真画像の上下方向が縮んでしまうという問題がある。
【０００５】
また、読取り部を写真やカードの真上に配置するのではなく、斜め方向の少し離れた位置に配置し、写真等を斜めから読み取ることが可能であるが、この場合には、読み取った画像に台形変形が生じるという問題がある。
【０００６】
本発明は上記問題点に鑑みてなされたものであり、その目的は、パソコンの取扱いが苦手な場合又はパソコン等の知識を習得する時間がない場合でも、電子アルバムを簡単かつ短時間に作成することが可能となり、また電子アルバム作成において、写真等にカール癖が付いている場合或いは斜め方向から写真等を読み取る場合でも、歪み又は台形変形のない画像を得ることができる電子アルバム作成装置を提供することにある。
【課題を解決するための手段】
【０００７】
上記目的を達成するために、請求項１の発明に係る電子アルバム作成装置は、写真及び各種カード（タイトルカード、手書きカード等）を含む読取り物を載せる写真台と、この写真台に載せた読取り物を電子的に素材画像として読み取るための画像読取り部（例えばＣＣＤを用いたもの）と、上記画像読取り部で読み取られた画像に変形がある場合に、この画像変形を補正する変形補正回路と、この変形補正回路にて得られた素材画像を表示すると共に、この素材画像の組合せからなるアルバム画像を表示する表示部と、上記画像の読取り及び画像変形補正の制御を実行すると共に、上記表示部上の画像を見ながらアルバム画像の編集制御を実行する制御部と、を含んでなることを特徴とする。
【０００８】
請求項２に係る発明は、上記写真台に載せられた読取り物の曲がり状態を検出する変形検出手段を設け、上記変形補正回路は、上記読取り物の曲がりによる画像の変形を補正することを特徴とする。
請求項３に係る発明は、上記変形検出手段として、写真台から読取り物の湾曲変形部までの距離を測定する測距センサを設け、この測距センサの出力から読取り物の曲がり（撓み）状態を検出することを特徴とする。
請求項４に係る発明は、上記変形検出手段として、上記画像読取り部で読み取られた画像のエッジを検出するエッジ検出回路と、このエッジ検出回路で検出されたエッジ情報から上記読取り物の曲がり状態を検出する画像変形検出回路と、を設けたことを特徴とする。
請求項５に係る発明は、上記読取り部が上記写真台に載せられた読取り物を斜め方向から読み取る場合、上記変形補正回路は、斜め方向の読取りによって生じる台形変形を補正することを特徴とする。
請求項６に係る発明は、上記変形検出手段によって、曲がりによる変形が所定値よりも大きいことが検出されたときは、そのことの告知を行うことを特徴とする。
【０００９】
上記の構成によれば、写真台に読取り物である写真及びカードを置いて読取り部による画像の読み取りが行われるが、同時に、例えば測距センサ等の変形検出手段によって、写真台に置かれた写真等の曲がり（湾曲）状態が検出され、曲がりがある場合はその状態に応じて読取り画像の変形が補正される。例えば、湾曲する写真の中央部において所定値以上の浮き量（高さ）が検出されると、予め分かっている写真のサイズから写真の歪み具合（写真上下方向の縮み具合）が判定され、縮んだ写真上下方向が伸びるように、画像の上下部に対し補間処理を施すことにより、読み取られた画像の変形が補正される。
【００１０】
また、上記写真等の曲がり状態の検出は、画像のエッジ検出にて行うことができ、この場合は、エッジ検出回路で検出された画像エッジの情報（輪郭等）から写真等のサイズ（縦横の長さ、全体の大きさ）を把握し、このサイズを記憶されている標準のサイズと比較することによって写真等の画像変形が検出される。例えば、上下（縦）方向でカールする写真は上下方向で歪むので、その画像の上下方向の長さを演算・計測することにより、写真の歪み具合（上下方向の縮み具合）を判定し、これにより読み取られた画像の変形を補正することができる。同時に、写真等を斜め方向から読み取る構成の場合は、台形変形の補正が行われる。そして、このようにして補正された写真、カード（タイトルカード、手書きカード等）の画像は、素材画像として内部記憶部へ格納される。
【００１１】
更に、上記素材画像は表示部へ表示されることになるが、この表示部には、写真、カードの素材画像を表示する素材画面（画面領域）とアルバム画像を表示するアルバム画面（画面領域）が設定されており、この素材画面の中から選択した素材画像を、１頁毎のアルバム画面内に任意な配置で貼り付けることにより、アルバム画像が作成され、保存される。そして、この保存されたアルバム画像は、タイトルカードの認識等によって閲覧することができる。
【発明の効果】
【００１２】
本発明の電子アルバム作成装置によれば、パソコンの取扱いが苦手な場合又はパソコン等の知識を習得する時間がない場合でも、電子アルバムを簡単かつ短時間に作成することが可能になり、このような電子アルバム作成においては、カール癖が付いた写真又はカードであっても、それらの画像を歪みのない状態で読み取ることができ、また写真又はカードを斜め方向から読み取る場合でも、台形変形のない画像を得ることができるという利点がある。
【発明を実施するための最良の形態】
【００１３】
図１乃至図２には、第１実施例に係る電子アルバム作成装置の構成が示されており、図１に示されるように、この装置は、タイトルカードＰａ、写真Ｐｂ及び手書きカードＰｃを載せるために平面台とされた写真台（本体水平部）１１、この写真台１１の手前側（図の下側）に設けられた操作部１２、写真Ｐｂ等の画像を読み取る読取り部（画像読取り部）１３、液晶ディスプレイからなる液晶表示部１４及び照明部１５を備えている。上記読取り部１３は、対物レンズ１３ａと固体撮像素子であるＣＣＤ１３ｂ（エリアセンサ方式、ラインセンサ方式のいずれでもよい)から構成される。なお、実施例の読取り部１３は、写真Ｐｂ等を斜めから読み取っているが、この読取り部１３を写真台１１の真上に配置し、写真Ｐｂ等を真上から読み取ることもできる。
【００１４】
上記操作部１２は、図１（Ａ）のように、上下左右移動キー１２ａ、入力キー１２ｂ、終了キー１２ｃ、剥しキー（又は取消しキー）１２ｄ、貼付けキー（又は確定キー）１２ｅを有しており、これらのキー１２ａ〜１２ｅによって編集のための操作が行われる。そして、図２に示されるように、上記操作部１２の操作に基づく編集のための動作制御や液晶表示部１４での表示制御を実行するため、写真台１１の内部に制御部（マイコン等）１８が設けられると共に、上記読取り部１３で読み取られたタイトルカードＰａに付されているバーコードＢを検出するためのバーコード検出部１９が設けられる。
【００１５】
即ち、実施例では、アルバム画像にタイトルを付けかつアルバム画像の管理情報として利用するために、図１（Ａ）のように、上部に記載欄（白紙欄）を設けかつ下部等にバーコードＢ（２次元コード等の他の光学的識別コードでもよい）を付けたタイトルカードＰａを用いており、このバーコードＢは、タイトルカードＰａであることの情報を含む各カードの個別情報（識別情報）として利用され、上部の記載欄には手書きやプリンターで任意のタイトルを書き込むか又は印刷するようになっている。従って、上記バーコードＢがバーコード検出部１９で検出されると、このカードがタイトルカードＰａであることが認識され、このカードＰａに記載されたタイトル画像Ｉａ［図４（Ａ）］が自動的に読み取られると共に、そのタイトルカード個別情報が一連のアルバム画像と関連付けられて保存され、個々のアルバム画像を識別し抽出するための管理情報として用いられる。実施例では、タイトルフォルダが作成され、このフォルダ内に素材画像等が格納される。なお、上記バーコードＢ等の光学的識別コードの代わりに、ＩＣタグ（ＩＣチップ）等の電気的識別素子を用いるようにしてもよい。
【００１６】
また、図２に示されるように、当該装置には、タイトル画像Ｉａ、素材画像Ｉｂ，Ｉｃを頁単位で任意に貼り付けたアルバム画像を形成するための画像処理部２０と、写真Ｐｂ、手書きカードＰｃの素材画像Ｉｂ，Ｉｃ等や頁単位のアルバム画像を記憶する内部の記憶媒体としてのハードディスク２１が配置される。
【００１７】
更に、第１実施例では、図１に示されるように、写真台１１（水平部）の上面に露出する状態の近接センサ（距離測定が可能な近接センサであり、その他の測距センサを用いてもよい）２４と、図２に示されように、曲がり状態検出回路２５と画像変形補正回路２６が設けられる。上記近接センサ２４は、例えば３個を鉤状に配置して写真台１１に置かれた写真Ｐｂの浮き量（湾曲部の高さ）ｘを測定しており、上記曲がり状態検出回路２５は、上記浮き量ｘによって写真Ｐｂの曲がり状態、例えば上下方向の縮み量を検出する。そして、上記画像変形補正回路２６では、例えば画像の垂直方向において中央部を除く上下部の所定間隔毎に１画素（１水平ライン）を追加する補間処理を行い、写真Ｐｂのカール癖で縮んだ上下部の画像を引き伸ばすようにして画像の変形を補正する。また、この画像変形補正回路２６は、写真Ｐｂ等をＣＣＤ１３ｂによって斜めから読み取ることにより生じる台形変形を補正する。
【００１８】
図４（Ａ）に示されるように、上記液晶表示部１４には、小さなメニュー画面（画面領域）１４Ａ、素材画面（画面領域）１４Ｂ及びアルバム画面（画面領域）１４Ｃが設けられる。即ち、上記メニュー画面１４Ａには、図４（Ｂ）の拡大図に示されるように、例えば画像読取りを行うための“画像読取”、アルバム画像編集を行うための“アルバム編集”、編集したアルバム画像をＤＶＤ等の記録メディア（記録媒体）へ保存するための“ＤＶＤ（ここではＤＶＤのみを示す）への保存”、ＤＶＤ（記録メディア）に格納されている画像素材の読出しを行うための“ＤＶＤ読出”、ＤＶＤ（記録メディア）に格納されているアルバム画像を読み出して上記ハードディスク２１へ保存するための“ＤＶＤから保存”、電子アルバムの閲覧をするための“アルバム閲覧”等のメニューが表示されており、これらの各メニューはそのいずれかを選択することができる。
【００１９】
また、上記メニューの“画像読取”及び“アルバム編集”を選択した場合は、図４（Ａ）に示されるように、液晶表示部１４の右側に、読み込んだ写真Ｐｂの画像Ｉｂや手書きカードＰｃの画像Ｉｃを表示する素材画面１４Ｂが表示され、その左側に、編集完成すべきアルバム画像を表示するアルバム画面１４Ｃが表示される。このアルバム画面１４Ｃは、電子アルバムの１頁の領域を表示しており、この画面１４Ｃで設定されたレイアウトでアルバム画像が頁毎に保存される。
【００２０】
更に、実施例では、図１（Ｃ）に示されるように、写真台（本体水平部）１１の前面側に、ＤＶＤ駆動部（読出し／書込み部）２３ａ、その他の記録メディア（メモリ）のメディア駆動部２３ｂが配置される。
【００２１】
第１実施例は以上の構成からなり、図３、図５及び図６を参照しながらその作用を説明する。まず、電子アルバムの作成では、タイトルカードＰａの読取りが行われることになり、図４（Ｂ）に示されるメニューの“画像読取”を選択して、写真台１１にタイトルカードＰａを置き、入力キー１２ｂを押すことにより、読取り部１３によるタイトル画像Ｉａの読取りが行われる。同時に、このタイトルカードＰａで付されているバーコードＢが読み取られ、これをバーコード検出部１９で検出することにより、タイトルカード個別情報が特定され、このタイトルカード個別情報に基づいてタイトルフォルダがハードディスク２１に作成される。このタイトルフォルダ内に、タイトル画像を含む素材画像が保存され、また図４（Ａ）に示されるように、このタイトル画像Ｉａ、例えば“北海道旅行”はアルバム画面１４Ｃへ表示される。
【００２２】
そして、図１（Ａ）に示されるように、写真台１１に写真Ｐｂを置いて入力キー１２ｂを押すと、上記と同様に読取り部１３によって写真画像Ｉｂの読み取りが行われるが、このときには、３個の近接センサ２４の出力を比較判定すること等によって写真Ｐｂまでの距離、即ち湾曲部の浮き量ｘが測定される。この浮き量ｘは、図２の曲がり状態検出回路２５へ供給され、ここで写真Ｐｂの曲がり状態が検出されると、画像変形補正回路２６にて読取り画像の変形が補正される。
【００２３】
この第１実施例の画像変形の補正を、図３及び図５よって説明する。図３は、湾曲した写真Ｐｂをその曲率の円の一部として捉えたもので、写真Ｐｂの浮き量をｘ、写真Ｐｂの半分の領域の読取り画像Ｉｂ上の長さをａとすると、写真Ｐｂの湾曲円の半径ｒは、ｒ＝（ａ２＋ｘ２）／２ｘ、写真Ｐｂの半分の円弧部分の角度θは、θ＝ｓｉｎ−１（ａ／ｒ）で表される。ここで、例えば２Ｌサイズ（１７８×１２７ｍｍ）の写真Ｐｂが１７８ｍｍの長さ方向でカールしている場合、写真Ｐｂの半分の長さは８９ｍｍとなり、上記浮き量ｘ＝８ｍｍであったとすると、画像Ｉｂ上の半分の長さａは８８．５ｍｍ程度となり、０．５ｍｍ程度縮むことになる。画像変形が最も大きい部分でも、１％強の縮みとなる。
【００２４】
上記図３の関係を小さな範囲で考え、画像Ｉｂ上の１００画素毎の長さをａ１、そのときの角度をθ１とすると、このときの写真Ｐｂ上の円弧の長さｌ１は、ｌ１＝ｒθ１、θ１＝ｓｉｎ−１（ａ１／ｒ）で、ｌ１＝ｒ・ｓｉｎ−１（ａ１／ｒ）となり、これにｒ＝（ａ２＋ｘ２）／２ｘを代入すると、ｌ１＝（ａ２＋ｘ２）／２ｘ・ｓｉｎ−１［ａ１／｛（ａ２＋ｘ２）／２ｘ｝）となる。ここで、例えばｌ１／ａ１の数値が四捨五して１％以上大きい場合に、長さａ１毎に１画素補間し、最外縁部においては直線の画像Ｉｂ上の長さと円弧の写真Ｐｂ上の長さが一致するように、１画素程度を補間することにより、縮んだ分を引き伸ばすことが可能となる。
【００２５】
このような考え方を、読取り部１３が６００万画素のＣＣＤ１３ｂを使用する場合に適用し、図３の写真Ｐｂの長さ１７８ｍｍが３０００画素に対応すると仮定すると、図５（Ａ），（Ｂ）に示されるように、写真Ｐｂの半分の８９ｍｍに対応する画像Ｉｂの領域を１５等分し、図５（Ｃ）のように、外側の７ブロックで１画素ずつを追加する補間をすればよいことになる。この結果、画素補間で追加した量が０．４１５ｍｍとなり、上述したように、カール癖で縮んだ量が０．５ｍｍ程度であるから、この縮んだ量がほぼ補正されたことになる。
【００２６】
また、第１実施例では、図１で説明したように、読取り部１３にて写真Ｐｂ等を斜めから読み取ることにより台形変形が生じるため、この台形変形が図２の画像変形補正回路２６で補正される。図６（Ａ），（Ｂ）には、斜め読取りの状態とそのときの台形変形が示されており、この台形変形は、図６（Ａ）に示されるように、写真台１１に対する対物レンズ１３ａ及びＣＣＤ１３ｂの傾斜角度（垂直線と光軸とがなす角度）βや対物レンズ１３ａの物体側距離Ｌ０によって変わるが、傾斜角度βを３０度、物体側距離Ｌ０を３００ｍｍとすると、図６（Ｂ）のような割合の台形変形となる。
【００２７】
そこで、この図６（Ｂ）の水平（横）方向では、ＣＣＤ１３ｂの１水平ライン毎に補間量を変え、例えば８９．４９％の位置では１０画素毎に１画素を追加し、１１３．３１％の位置では、９画素毎に１画素を間引くというようにして、画素の補間処理を行う。一方、垂直（縦）方向では、徐々に変形率が変化しているので、所定数の画素毎、例えば１００画素毎に区切って補正し、読取り範囲全体で考えると、垂直方向の長さ１５０ｍｍで２０００画素になるので、７．５ｍｍ毎に２０等分し、以下の表１の補正を行う。
【００２８】
【表１】
2006215832.tif 000003
【００２９】
このようにして、第１実施例では、写真Ｐｂ等のカール癖による曲がりの補正が行われると共に、台形変形の補正が行われ、この変形補正が行われた写真Ｐｂの画像Ｉｂは、ハードディスク２１に保存される。次いで、手書きカードＰｃについても同様にその画像Ｉｃが読取り部１３によって読み取られ、変形があればその補正が行われる。
【００３０】
そして、読み取られた素材画像Ｉｂ，Ｉｃは、図４（Ａ）に示されるように、素材画面１４Ｂに表示されており、この状態でアルバム画面１４Ｃへの編集が可能となる。即ち、素材画面１４Ｂから写真Ｐｂの画像Ｉｂや手書きカードＰｃの画像（例えば二人は仲よし）Ｉｃを上下左右移動キー１２ａで選択し、貼付けキー１２ｅを押すと、それらの画像が順にアルバム画面１４Ｃ内へ表示される。このとき、剥しキー１２ｄを使えば、一旦貼り付けた画像をアルバム画面１４Ｃ内から剥がす（取り除く）ことができる。その後、操作部１２の終了キー１２ｃを押すと、上記素材画像（Ｉｂ，Ｉｃ）を貼り付けたアルバム画像がハードディスク２１のタイトルフォルダ内へ格納される。
【００３１】
更に、図４（Ｂ）のメニューから“アルバム編集”を選択した場合は、電子アルバム作成後に、アルバム画像の再編集を行うことができ、メニューの“ＤＶＤ読出”を選択することにより、上述したＤＶＤ駆動部２３ａ（或いはメディア駆動部２３ｂ）に挿入したＤＶＤ（或いは記録メディア）から読み取った画像を素材画像として利用することができ、メニューの“ＤＶＤへ保存”を選択すれば、完成したアルバム画像をＤＶＤへ保存することができ、メニューの“ＤＶＤから保存”を選択すれば、別の装置等で完成したアルバム画像を当該装置のハードディスク２１へ保存することができる。
【００３２】
そして、当該装置では、図４（Ｂ）のメニューの“アルバム閲覧”を選択することにより、保存されているアルバム画像を液晶表示部１４にて閲覧することができる。即ち、アルバム閲覧を選択した後、上記のタイトルカードを写真台１１に載せ、入力キー１２ｂを押すと、タイトルカードＰｂのバーコードＢが読み取られることによって、該当するアルバム画像がハードディスク２１から読み出され、このアルバム画像が液晶表示部１４へ表示される。そして、操作部１２等によって頁めくり操作をすれば、アルバム画像が順に表示される。
【００３３】
上記第１実施例では、近接センサ２４にて読取り物の浮き量ｘを測定して曲がり状態を検出するようにしたが、写真台１１に載せた読取り物を横方向或いは縦方向からＣＣＤ等の撮像素子で撮影し、その画像の処理によって曲がり状態を検出してもよい。
【００３４】
図７には、エッジ検出にて写真Ｐｂ等の変形を検出する第２実施例の構成が示されており、この第２実施例では、読取り部１３で得られた画像を入力するエッジ検出／画像変形検出回路２９が設けられる。このエッジ検出／画像変形検出回路２９は、まずＣＣＤ１３ｂにより読み取った画像のコントラストの差から写真Ｐｂ等（読取り物）のエッジ（輪郭）を検出して１枚の画像のサイズを特定する。
【００３５】
図８には、このエッジ検出の状態が示されており、図８（Ａ）のように、ＣＣＤ１３ｂでは、その撮像領域内に写真Ｐｂの画像Ｉｂが読み取られることになるが、例えば垂直ラインＬｖでは図８（Ｂ）のように写真画像Ｉｂのコントラストが低下し、水平ラインＬｈでは図８（Ｃ）のように写真画像Ｉｂのコントラストが低下することになり、このようなコントラストの差を検出することによって、写真Ｐｂ、カードＰａ，Ｐｃのサイズ（縦横の長さ、全体の大きさ）が特定される。なお、写真台１１の内部にバックライトを配置すると共に写真台１１上面に透明板を設け、エッジ検出の際にバックライトの光を照射することにより、コントラストを際立たせるようにしてもよい。
【００３６】
また、このエッジ検出／画像変形検出回路２９では、検出された読取り画像のサイズと予め分かっている写真Ｐｂ等（読取り物）のサイズとの比較から写真Ｐｂ等の変形を検出する。即ち、一般に、写真Ｐｂの焼付けサイズは、数種類しかなく、これら数種類のサイズ（大きさ）がメモリ等に記憶されており、この記憶された写真Ｐｂのサイズとの比較によって読取り画像の変形状態が判定される。また、タイトルカードや手書きカードについても、大きさを標準化して記憶させることにより同様に行うことができる。
【００３７】
図５の場合と同様に、写真Ｐｂにカール癖が付いている場合は、上記エッジ検出／画像変形検出回路２９によって、上下方向の長さが１ｍｍ（片側０．５ｍｍ×２）程度短くなる変形であることが検出される。そして、画像変形補正回路２６にて上下方向共に外側の７ブロックでの画素補間を行うことにより、画像の変形が補正される。
【００３８】
上記実施例では、写真Ｐｂ、カードのカール癖による曲がり（撓み）変形の補正と、斜め読取りによる台形変形の補正の両方を行うようにしたが、いずれか一方のみを実行するようにしてもよい。
【００３９】
また、上記各実施例において、測距センサやエッジ検出回路によって曲がりによる変形が予め決められたしきい値としての浮き量（良好な画像補正の限界値）よりも大きいことが判定されたときは、写真Ｐｂ、カードＰａ，Ｐｃの曲がりを直して再読取りすることを促すメッセージ（告知）を液晶表示部１４に表示することもできる（音声出力してもよい）。
【図面の簡単な説明】
【００４０】
【図１】本発明の第１実施例に係る電子アルバム作成装置の構成を示し、図（Ａ）は上面図、図（Ｂ）は内部を示した側面図、図（Ｃ）は写真台の正面図である。
【図２】第１実施例装置の回路部を含む全体構成を示すブロック図である。
【図３】実施例における写真等の曲がり状態の検出を説明するための図である。
【図４】実施例装置の液晶表示部で設定されるメニュー画面、素材画面及びアルバム画面の構成を示す図［図（Ａ）］、並びにメニュー画面の拡大図［図（Ｂ）］である。
【図５】実施例における写真等のカール癖による変形の補正を説明するための図である。
【図６】実施例の斜め読取りの構成［図（Ａ）］、及び台形変形の状態［図（Ｂ）］を示す図である。
【図７】第２実施例装置の回路部を含む全体構成を示すブロック図である。
【図８】第２実施例の読取り部で読み取られた写真のエッジ検出を説明するもので、図（Ａ）は全体を読み取ったときの図、図（Ｂ）は図（Ａ）の垂直線Ｌｖでエッジ検出したときの図、図（Ｃ）は図（Ａ）の水平線Ｌｈでエッジ検出したときの図である。
【符号の説明】
【００４１】
１１…写真台、              １２…操作部、
１３…読取り部、            １３ａ…対物レンズ、
１３ｂ…ＣＣＤ、            １４…液晶表示部、
１５…照明部、              １８…制御部、
２０…画像処理部、          ２１…ハードディスク、
２５…曲がり状態検出回路、  ２６…画像変形補正回路、
２９…エッジ検出／画像変形検出回路、
Ｐｂ…写真。
【図１】
2006215832.tif 000004
【図２】
2006215832.tif 000005
【図３】
2006215832.tif 000006
【図４】
2006215832.tif 000007
【図５】
2006215832.tif 000008
【図６】
2006215832.tif 000009
【図７】
2006215832.tif 000010
【図８】
2006215832.tif 000011